(57)【特許請求の範囲】
【請求項１】
不快害虫駆除物質を噴霧状態で散布することができる不快害虫駆除物質噴霧装置と、界面活性剤水溶液を発泡させる発泡器及び該発泡器に接続され、発泡させた上記界面活性剤水溶液を被駆除室内の床及び腰壁の少なくとも１つの表面に供給するための吐出口を有する分配管を備える床面発泡被覆装置と、により構成され、該床面発泡被覆装置と上記不快害虫駆除物質噴霧装置は一体型又は分離していることを特徴とする不快害虫駆除装置。
【請求項２】
上記床面発泡被覆装置は、界面活性剤水溶液を収容する貯留槽と、該界面活性剤水溶液を送出する第１送出管及び送出手段と、該第１送出管に接続される第１気体供給管と、該第１気体供給管を介して該第１送出管内の界面活性剤水溶液に気体を供給する第１気体供給手段と、該第１送出管に接続される発泡器と、該発泡器に接続される第２気体供給管と、該第２気体供給管を介して該発泡器に気体を供給する第２気体供給手段と、該発泡器に接続され再度発泡された界面活性剤水溶液を該発泡器から送出する第２送出管と、を備えている請求項１記載の不快害虫駆除装置。
【請求項３】
更に上記貯留槽に接続される第３気体供給管と、該第３気体供給管を介して該貯留槽に気体を供給する第３気体供給手段と、を備える請求項２記載の不快害虫駆除装置。
【請求項４】
上記床面発泡被覆装置は、界面活性剤水溶液を収容する貯留槽と、該貯留槽に接続される第３気体供給管と、該第３気体供給管を介して該貯留槽に気体を供給する第３気体供給手段と、該界面活性剤水溶液を送出する第１送出管及び送出手段と、該第１送出管に接続される発泡器と、該発泡器に接続される第２気体供給管と、該第２気体供給管を介して該発泡器に気体を供給する第２気体供給手段と、該発泡器に接続され再度発泡された界面活性剤水溶液を該発泡機から送出する第２送出管と、を備えている請求項１記載の不快害虫駆除装置。
【請求項５】
発泡させた上記界面活性剤水溶液を上記被駆除室内の床及び腰壁の少なくとも１つの表面に供給して一定時間放置し、その後、水を供給して発泡させた上記界面活性剤水溶液を流し去るものである請求項１乃至４のいずれかに記載の不快害虫駆除装置。
【請求項６】
更に発泡させた上記界面活性剤水溶液及び／又は水を供給する圧送ポンプを備える請求項１乃至５のいずれかに記載の不快害虫駆除装置。
【請求項７】
上記圧送ポンプはバルブを有し、且つ上記圧送ポンプの作動若しくは停止及び／又は上記バルブの開閉を自動的にコントロールする制御装置を備える請求項６記載の不快害虫駆除装置。
【請求項８】
被駆除室に不快害虫駆除物質を空中噴霧し、界面活性剤水溶液を発泡させて得た泡により被駆除室における床の全面又はその一部を被覆することを特徴とする不快害虫駆除方法。
【請求項９】
不快害虫駆除物質を噴霧状態で散布することができる不快害虫駆除物質噴霧装置により被駆除室に不快害虫駆除物質を空中噴霧し、界面活性剤水溶液を発泡させる発泡器及び該発泡器に接続され、発泡させた上記界面活性剤水溶液を被駆除室内の床及び腰壁の少なくとも１つの表面に供給するための吐出口を有する分配管を備える床面発泡被覆装置で界面活性剤水溶液を発泡させて得た泡により被駆除室における床の全面又はその一部を被覆することを特徴とする不快害虫駆除方法。
【請求項１０】
更に洗浄水を上記被駆除室における床に供給して上記不快害虫及び／又は上記泡を洗い流す請求項８又は９記載の不快害虫駆除方法。
【請求項１１】
上記泡の供給は、厨房の床面の周縁部に配設された配管を介して行われ、上記不快害虫及び／又は上記泡の洗い流しによる除去は、一定時間後に該配管を介して供給される洗浄水により行われる請求項１０記載の不快害虫駆除方法。
【請求項１２】
上記泡の供給は自動的に行われ、上記洗浄水の供給は一定時間後に自動的に行われ、且つ、この洗い流される水は排水孔に集約され排水される請求項１０又は１１記載の不快害虫駆除方法。
【発明の詳細な説明】
【０００１】
【発明の属する技術分野】
本発明は不快害虫駆除装置及び不快害虫駆除方法に関し、更に詳しくは、従来よりも効率的且つより確実にゴキブリ等のように不快害虫を駆除することができる不快害虫駆除装置及び不快害虫駆除方法に関する。
【０００２】
【従来の技術】
従来より、スーパーの食品売り場や学校、会社等の給食設備、あるいは食堂の厨房設備等においては、ゴキブリ等のような不快害虫を駆除することが、食品及び炊事器具の衛生上の問題のみならず、食中毒の発生、食品への混入等の観点からも重要視されている。特に近年は、ＨＡＣＣＰ（ハザード・アナリシス〔危害分析〕、クリティカル・コントロール・ポイント〔重要管理点〕）の導入及びＰＬ法の施行に伴い、食品を扱う部署において、従来以上に厳しい衛生管理が要求されているため、ゴキブリ等のような不快害虫を駆除することは非常に重要な問題となっている。かかる不快害虫を駆除する方法として一般的に行われている方法としては、発見次第人の手で駆除すると共に、頻繁に床面の清掃を行うことにより、清潔な環境を維持することが挙げられる。
【０００３】
しかし、室内、特に厨房には様々な器具・設備が備えられており、しかも、ゴキブリは僅かな隙間でも入り込むことができる上、夜間に主に活動することから、人の手により発見して駆除するのは必ずしも容易ではない。また、清掃する場合、これらの器具・設備により隠れる部分については清掃が困難であるという問題がある。更に、レストランの厨房のような汚れやすく、広い床面の洗浄には多くの労力が必要であり、短時間にムラなく効率的な洗浄を行うことは困難であるという問題がある。特に、最近はライフスタイルの変化に伴う客先の要望に応えるべく、スーパーや食堂の営業時間が従来よりも延長され、休日も減少していること等により、床面、特にゴキブリのような不快害虫の駆除が強く求められる厨房内の清掃の作業時間割振が困難となり、清掃時間の確保が困難となりつつある。そして、かかる問題を終業後の清掃等により図る場合は、必然的に清掃人員を増やさなければならず、その結果、高人件費となるという問題がある。そこで従来より、効率的且つより確実にゴキブリ等のような不快害虫を駆除することができる不快害虫駆除装置及び不快害虫駆除方法が求められている。
【０００４】
【発明が解決しようとする課題】
本発明は上記実情に鑑みてなされたものであり、従来よりも効率的且つより確実にゴキブリ等のように不快害虫を駆除することができる不快害虫駆除装置及び不快害虫駆除方法を提供することを目的とする。
【０００５】
【課題を解決するための手段】
本発明者らは、ゴキブリ等の不快害虫の生態と駆除の方法、不快害虫駆除物質の作用・効果等について鋭意検討した結果、ピレスロイド系薬剤やオゾン等の不快害虫駆除物質を室内に噴霧散布すると、人の手が届きにくい隙間や器具・設備により隠れる部分にも行き渡り、その結果、不快害虫駆除物質を浴びたゴキブリ等の不快害虫はフラッシュアウト（仮死状態となったり、暴れまわったりして床面に落ちること）を引き起こし、これにより床面に誘導することができ、更に、床面に界面活性剤により起泡された泡を散布しておくことにより、フラッシュアウトを引き起こして床面に誘導された不快害虫を更に効率的且つ確実に駆除できることを見出して、本発明を完成するに至った。
【０００６】
請求項１記載の発明の不快害虫駆除装置は、不快害虫駆除物質を噴霧状態で散布することができる不快害虫駆除物質噴霧装置と、界面活性剤水溶液を発泡させる発泡器及び該発泡器に接続され、発泡させた上記界面活性剤水溶液を被駆除室内の床及び腰壁の少なくとも１つの表面に供給するための吐出口を有する分配管を備える床面発泡被覆装置と、により構成され、該床面発泡被覆装置と上記不快害虫駆除物質噴霧装置は一体型又は分離していることを特徴とする。尚、本明細書中の「不快害虫」とは、床を這う害虫の意味に用いられ、例えば、ゴキブリ、クモ、ムカデ、ゲジ等が挙げられる。この中で、請求項１記載の発明の不快害虫駆除装置は、特にゴキブリの駆除に好適に用いることができる。
【０００７】
請求項１記載の不快害虫駆除装置における上記「不快害虫駆除物質噴霧装置」は、不快害虫駆除物質を被駆除室内に噴霧することができる限り、その構成については限定はない。例えば、噴霧する上記不快害虫駆除物質が気体の場合、該不快害虫駆除物質を充填したボンベや該不快害虫駆除物質の発生装置と散布口を有し、被駆除室の天井や壁面、床面等に敷設され、必要に応じて不快害虫駆除物質の散布量を調節する調節バルブを備える散布管を有する構成や、被駆除室の天井や壁面、床面等に敷設せずに持ち運び可能な本体内部に、該不快害虫駆除物質を充填したボンベや該不快害虫駆除物質の発生装置を設け、本体に散布口を設けた構成とすることもできる。また、上記不快害虫駆除物質が液体の場合は、該不快害虫駆除物質を充填した容器と、上記不快害虫駆除物質を気化するための加熱機能等を有する気化装置を有する構成としたり、あるいは、圧縮気体を導入することによって、不快害虫駆除物質を超微粒子として外部に噴霧するため、不快害虫駆除物質を充填した容器や散布管と接続している圧縮気体を充填した容器を備える構成とすることができる。
【０００８】
上記「不快害虫駆除物質」としては、上記不快害虫を駆除あるいはフラッシュアウトを引き起こすことができ、かかる目的を達成するために一般に用いられているものであれば特に限定はないが、特にピレスピロイド系薬剤やオゾンは、人体に対する影響が低いことから、厨房や食堂等のように食品を扱う部署における不快害虫の駆除に好適に用いることができるので好ましい。
【０００９】
上記「床面発泡被覆装置」は、界面活性剤水溶液を発泡させ、被駆除室内の床及び腰壁の少なくとも１つの表面に発泡させた界面活性剤水溶液を供給して床面の全面又は一部を被覆するための装置であり、界面活性剤水溶液を発泡させて床面の全面又は一部を被覆することができる限り、その構造については特に限定はない。このような上記「床面発泡被覆装置」として、例えば、請求項２に示すように、界面活性剤水溶液を収容する貯留槽１と、該界面活性剤水溶液を送出する第１送出管１１及び送出手段と、該第１送出管１１に接続される第１気体供給管１２と、該第１気体供給管１２を介して該第１送出管１１内の界面活性剤水溶液に気体を供給する第１気体供給手段１３と、該第１送出管１１に接続される発泡器３と、該発泡器３に接続される第２気体供給管１４と、該第２気体供給管１４を介して該発泡器３に気体を供給する第２気体供給手段１５と、該発泡器３に接続され再度発泡された界面活性剤水溶液を該発泡器３から送出する第２送出管１６と、を備えている床面発泡被覆装置Ｂ１を用いることができる（図２参照）。かかる構成を有する床面発泡被覆装置を用いれば、上記貯留槽から送出された界面活性剤水溶液は、上記第１送出管内を通って、上記発泡器に送られるが、その前に上記第１気体供給手段により上記第１気体供給管から供給される気体によって上記第１送出管内で発泡又は含泡状態とすることができる。この発泡又は含泡状態の界面活性剤水溶液が上記発泡器に送られる結果、均一且つ安定した泡を作り、被駆除室内の床面を確実に被覆することができるので好ましい。
【００１０】
請求項２記載の上記「床面発泡被覆装置」には、請求項３に示すように、更に上記貯留槽に接続される第３気体供給管と、該第３気体供給管を介して該貯留槽に気体を供給する第３気体供給手段と、を備えるものとすることができる。このような構成を備える床面発泡被覆装置によれば、上記第３気体供給手段から供給される気体によって上記貯留槽内で界面活性剤水溶液を発泡させることができ、更に上記第１気体供給手段や発泡機等によって、使用する界面活性剤の性質に合わせて適当な泡状態に調節することができるので好ましい。
【００１１】
このような第３気体供給管と第３気体供給手段とを備える床面発泡被覆装置として、例えば、請求項４に示すように、界面活性剤水溶液を収容する貯留槽１と、該貯留槽１に接続される第３気体供給管１８と、該第３気体供給管１８を介して該貯留槽１に気体を供給する第３気体供給手段１９と、該界面活性剤水溶液を送出する第１送出管１１及び送出手段と、該第１送出管１１に接続される発泡器３と、該発泡器３に接続される第２気体供給管１４と、該第２気体供給管１４を介して該発泡器３に気体を供給する第２気体供給手段１５と、該発泡器３に接続され再度発泡された界面活性剤水溶液を該発泡器３から送出する第２送出管１６と、を備えている床面発泡被覆装置Ｂ２が挙げられる（図３参照）。また、この場合、図３に示すように、第１気体供給管１２及び第１気体供給手段１３を設けるのが通常であるが、図４に示すように、第１気体供給管１２及び第１気体供給手段１３を用いない構成とすることができる。
【００１２】
更に、上記「発泡器」として、発泡器本体の一端部３５が開放され、他端部３６が密閉され、且つ界面活性剤供給管３１と気体供給管３２が該他端部３６に気密状態で取り付けられ、上記発泡器本体３７内の該他端部３６に近い位置に開口し、更に、上記発泡器本体３７内に、その内側断面形状と略同一の形状であって、上記界面活性剤供給管３１と気体供給管３２の開口端近傍から順次上記一端部３５側に向かって、適宜間隔をもって取り付けられた複数の網状体３３ａ〜ｆを備えるものとすることができる（図５参照）。かかる複数の網状体３３ａ〜ｆを備え、上記界面活性剤供給管３１と気体供給管３２を所定位置に配置することにより、界面活性剤水溶液を効率的に泡化することができ、また、泡の径、膜厚、均一度を調整して、流動性、消泡時間の調整等、泡の諸性質を広い範囲にわたって調整することができるので好ましい。この場合、上記気体供給管３２は、発泡器本体３７の上記他端部３６に最も近い位置に取り付けられた第１網状体３３ａに接して開口したものとすることができ、上記界面活性剤供給管３１が第１網状体３３ａと適宜の間隔をもって、且つ第１網状体３３ａに次いで上記他端部３６に近い位置に取り付けられた第２網状体３３ｂに接して開口したものとすることができる。また、上記界面活性剤供給管３１の開口部は、その近傍が絞り込まれ、開口端の径を他の部位の径の１／５〜３／５とした絞り部３８を有するものとすることができる。
【００１３】
上記「分配管」は、吐出口を有し、発泡させた上記界面活性剤水溶液を被駆除室内の床及び腰壁の少なくとも１つの表面に供給するものである。上記「分配管」は、吐出口を有し、発泡させた上記界面活性剤水溶液を被駆除室内の床及び腰壁の少なくとも１つの表面に供給することができる限り、その大きさ、長さ、形状及び材質については特に限定はなく、請求項１記載の不快害虫駆除装置を設ける箇所、被駆除室内の状況等に応じて種々のものとすることができる。例えば、被駆除室の床や壁面に設置できるようにパイプ状のものとしたり、あるいは、被駆除室の床や壁面に固定せずに、移動可能で必要に応じて使用できるようにホース状のものとすることができる。また、上記吐出口の個数、形状、上記「分配管」に設ける箇所についても、発泡させた上記界面活性剤水溶液を被駆除室内の床及び腰壁の少なくとも１つの表面に供給することができる限り特に限定はなく、必要に応じて種々のものとすることができる。例えば、分配管から分岐した放出部として設けたり、分配管の途中に孔を設けたり、あるいは、ホース等のように、略筒状の一方が開口しているものとすることができる。
【００１４】
本発明の不快害虫駆除装置において、上記床面発泡被覆装置と上記不快害虫駆除物質噴霧装置は一体型でもよいが、分離型とすることもできる。分離型とすれば、室内に設置する際に省スペース化を図ることができ、設置される室内の具体的状況に応じて上記床面発泡被覆装置と上記不快害虫駆除物質噴霧装置を配置することができる結果、効率的に不快害虫駆除物質噴霧を室内に行き渡らせると共に、床面や壁面を発泡被覆することができるので好ましい。
【００１５】
本発明の不快害虫駆除装置は、不快害虫駆除物質を噴霧散布すると共に、発泡させた上記界面活性剤水溶液を上記被駆除室内の床及び腰壁の少なくとも１つの表面に供給し、一定時間放置するものであるが、請求項５に示すように、その後、水を供給して発泡させた上記界面活性剤水溶液及び／又は不快害虫を流し去るものとすることができる。かかる構成とすることにより、不快害虫駆除後、発泡させた上記界面活性剤水溶液や不快害虫を床面から速やかに除去することができるので好ましい。
【００１６】
また、本発明の不快害虫駆除装置には、請求項６に示すように、更に、発泡させた上記界面活性剤水溶液及び／又は水を供給する圧送ポンプを備えるものとすることができる。かかる圧送ポンプを備えることにより、発泡被覆する箇所が広範囲であっても、発泡させた上記界面活性剤水溶液を十分に行き渡らせることができる結果、より確実に被覆することができ、また、目的達成後に水を供給することにより、発泡させた上記界面活性剤水溶液を速やかに除去することができるので好ましい。この場合、請求項７に示すように、上記圧送ポンプはバルブを有し、且つ上記圧送ポンプの作動若しくは停止及び／又は上記バルブの開閉を自動的にコントロールする制御装置を備えるものとすると、発泡被覆と発泡させた上記界面活性剤水溶液の除去を自動的に行うことができる結果、少ない人手でも効率的に不快害虫の駆除を行うことができるので好ましい。
【００１７】
請求項８記載の発明の不快害虫駆除方法は、被駆除室に不快害虫駆除物質を空中噴霧し、界面活性剤水溶液を発泡させて得た泡により被駆除室における床の全面又はその一部を被覆することを特徴とする。一般に、不快害虫駆除物質によりフラッシュアウトを引き起こしたゴキブリ等の不快害虫のうち、死ぬのは７〜８割程度であり、依然として２〜３割程度の不快害虫が生き延びることがあるが、かかる方法によると、上記被駆除室に不快害虫駆除物質を空中噴霧するすることにより、僅かな隙間や室内の様々な器具・設備により隠れる部分についても不快害虫駆除物質が行き渡る結果、従来のように人の手により清掃・駆除を行う場合よりも効率的に駆除を行うことができ、また、フラッシュアウトを引き起こすことにより、不快害虫を床面に誘導することができる。そして、この過程に加えて、更に、界面活性剤水溶液を発泡させて得た泡により被駆除室における床の全面又はその一部を被覆しておくことにより、フラッシュアウトを引き起こして床面に誘導された不快害虫は、上記界面活性剤を発泡させて得た泡と接触し、より確実に死滅又は不動状態にさせることができる。その結果、ピレスロイド系薬剤やオゾン等の不快害虫駆除物質の使用量を増加せずとも、従来よりもさらに効率的且つより確実にゴキブリ等のような不快害虫を駆除することができる。
【００１８】
請求項８記載の発明の不快害虫駆除方法において、界面活性剤水溶液を発泡させて得た泡により被駆除室における床の全面又はその一部を被覆する過程で用いられる上記「界面活性剤」としては、水に発泡するものであり、且つ不快害虫を死滅又は不動状態にする作用があれば特に限定されない。上記「界面活性剤」は、水溶液の状態又は水中に分散させて用いることができ、その濃度については特に限定はないが、好ましくは０．１重量％以上とすることができる。０．１重量％以上とすることにより、上記界面活性剤を発泡させたときに発泡状態を十分に保持することができるので好ましい。上記「界面活性剤」として、例えば、グリセリン脂肪酸エステル、ショ糖脂肪酸エステル、ポリオキシエチレン脂肪酸エステル、ポリオキシプロピレン脂肪酸エステル、ポリオキシオレイン酸ナトリウム、ポリオキシエチレンモノアルキルエーテル、アルキルアミンオキシエチレン付加物等が挙げられ、１種又は２種以上を併用して用いることができる。
【００１９】
上記グリセリン脂肪酸エステルとしては、界面活性作用があるものであれば特に限定されず、この脂肪酸は高級脂肪酸を意味し、通常、炭素数が８〜２０程度のものが使用される。上記グリセリン脂肪酸エステルの例としては、グリセリンモノステアレート、グリセリンモノオレエート、デカグリセリンモノオレエート、グリセリン酢酸脂肪酸エステル、グリセリン乳酸脂肪酸エステル、グリセリンクエン酸脂肪酸エステル、グリセリンコハク酸脂肪酸エステル、グリセリンジアセチル酒石酸脂肪酸エステル、グリセリン酢酸エステル等が挙げられるが、これらのうちデカグリセリンモノオレエートが好ましく用いられる。また、上記ショ糖脂肪酸エステルとしては、界面活性作用があるものであれば特に限定されず、この脂肪酸は高級脂肪酸を意味し、通常、炭素数が８〜２０程度のものが使用される。また、このエステルとしては、モノエステル、ジエステル、トリエステル等が挙げられ、このうち、モノエステル、ジエステルが好ましく用いられる。また、上記ポリオキシエチレンモノアルキルエーテルのアルキルとしては、特に限定されないが、炭素数１０〜１８のアルキルが好ましく用いられる。
【００２０】
請求項８記載の不快害虫駆除方法において、上記「界面活性剤」として、グリセリン脂肪酸エステル、ショ糖脂肪酸エステル及びオレイン酸ナトリウムから選ばれる少なくとも１種を用いた場合、この１００００ｐｐｍ水溶液のＢＯＤを５０００ｐｐｍ以上（好ましくは８０００ｐｐｍ以上、更に好ましくは１００００ｐｐｍ以上）とすると、不快害虫、特にゴキブリを効率的に駆除でき、しかも、生分解性に優れていることから、排水浄化、環境保全の点で好ましい。また、上記「界面活性剤」を含む泡は、上記不快害虫駆除物質や洗浄剤、あるいは除菌剤を含む水溶液と空気とを任意の割合で混合できる発泡器を用いて形成することができる。これにより、更に確実に不快害虫を駆除したり、あるいは、床面の汚れを除去したり、除菌することができるので好ましい。
【００２１】
請求項８記載の不快害虫駆除方法において、界面活性剤水溶液を発泡させて得た泡による被駆除室における床面の被覆方法は、被駆除室における床の全面又はその一部を上記泡により被覆することができる限り特に限定はない。通常は、図Ｘに示すような床面に設けられた分配管等を通じて直接床面に上記泡を供給することによって被覆するが、その他、壁面に上記泡を供給することにより被覆することもできる。この場合、壁面に供給された泡は時間と共に壁面を伝って床面に行き渡り、床面を被覆することができる。
【００２２】
また、請求項８記載の不快害虫駆除方法における上記不快害虫駆除物質の噴霧方法については、室内に不快害虫駆除物質を噴霧できる限り特に限定はなく、例えば、上記不快害虫駆除物質が気体であれば、予めボンベ等に充填し、散布孔を有し、天井や壁面、床面等に敷設され、あるいは天井や壁面、床面等に敷設せずに持ち運び可能な状態で上記ボンベと接続し、必要に応じて散布量の調節バルブを備える散布管を用いて噴霧したり、その他、ボンベ等の充填容器や不快害虫駆除物質発生器から直接噴霧したりすることができる。また、上記不快害虫駆除物質が液体の場合は、該不快害虫駆除物質を加熱気化してから送風器や圧縮気体により噴霧したり、あるいは、不快害虫駆除物質を充填した容器に圧縮気体を導入することによって超微粒子化することにより外部に噴霧することができる。尚、上記「不快害虫駆除物質」としては、上記のように、不快害虫を駆除することができ、かかる目的を達成するために一般に用いられているものであれば特に限定はなく、例えば、ピレスピロイド系薬剤やオゾン等が挙げられる。
【００２３】
請求項８記載の発明の不快害虫駆除方法において、上記界面活性剤水溶液を発泡させて得た泡により被駆除室における床の全面又はその一部を被覆する過程と、上記被駆除室に不快害虫駆除物質を空中噴霧する過程の順序についても特に限定はない。通常は、界面活性剤水溶液を発泡させて得た泡により被駆除室における床の全面又はその一部を被覆した後に、上記被駆除室に不快害虫駆除物質を空中噴霧するが、逆に、上記被駆除室に不快害虫駆除物質を空中噴霧した後に、界面活性剤水溶液を発泡させて得た泡により被駆除室における床の全面又はその一部を被覆してもよい。
【００２４】
請求項８記載の不快害虫駆除方法において、被駆除室に不快害虫駆除物質を空中噴霧する過程と、界面活性剤水溶液を発泡させて得た泡により被駆除室における床の全面又はその一部を被覆する過程を行う方法については特に限定はなく、請求項９に示すように、不快害虫駆除物質を噴霧状態で散布することができる不快害虫駆除物質噴霧装置により、被駆除室に不快害虫駆除物質を空中噴霧し、界面活性剤水溶液を発泡させる発泡器及び該発泡器に接続され、発泡させた上記界面活性剤水溶液を被駆除室内の床及び腰壁の少なくとも１つの表面に供給するための吐出口を有する分配管を備える床面発泡被覆装置により、界面活性剤水溶液を発泡させて得た泡で被駆除室における床の全面又はその一部を被覆することによって行うことができる。
【００２５】
本発明の不快害虫駆除方法では、請求項１０に示すように、更に洗浄水を上記床面上に供給して上記不快害虫及び／又は上記泡を洗い流すことができる。かかる方法によれば、駆除後の上記泡を速やかに除去できると共に、本発明の不快害虫駆除方法により駆除された不快害虫の死骸の除去も容易に行うことができるので好ましい。この場合、請求項１１に示すように、上記泡の供給は、厨房の床面の周縁部に配設された配管を介して行われ、上記不快害虫の洗い流しによる除去は、一定時間後に該配管を介して供給される洗浄水により行うことができる。また、請求項１２に示すように、上記泡の供給は自動的に行われ、上記不快害虫の洗浄水の供給は一定時間後に自動的に行われ、且つ、この洗い流される水は排水孔に集約され排水されるものとすることができる。かかる方法によれば、不快害虫の駆除を自動的に行うことができる結果、少ない人手でも効率的に不快害虫の駆除を行うことができるので好ましい。
【００２６】
【発明の実施の形態】
以下に本発明の実施例を示して、本発明の効果を説明する。
（１）不快害虫駆除装置
本実施例の不快害虫駆除装置の概略図を図１に示す。
本実施例の不快害虫駆除装置は、不快害虫駆除物質噴霧装置Ａと床面発泡被覆装置Ｂにより構成されるものである。不快害虫駆除物質噴霧装置Ａは、不快害虫駆除物質としてオゾンガスを用いるものであり、その本体の内部にオゾン発生器（図示せず）を有し、本体には発生したオゾンガスを散布するための散布口（図示せず）を有する構成である。そして、上記不快害虫駆除物質噴霧装置Ａは、床面発泡被覆装置Ｂとは分離した形態で被駆除室８の上部壁面に設置されている。
【００２７】
また、床面発泡被覆装置Ｂは、界面活性剤を収容する貯留槽１と、水を収容する水収容容器２と、界面活性剤を発泡させる発泡器３と、該発泡器３に接続する界面活性剤供給管３１及び気体供給管３２と、上記各容器に接続されるバルブ４１〜４４と、界面活性剤、水又は発泡した界面活性剤を供給する１個の圧送ポンプ５と、各容器１〜２、各バルブ４１〜４４及び圧送ポンプ５を各々接続する配管６と、分配管７とを備えるものである。上記分配管７は、パイプ状で被駆除室内８の床面隅に敷設されており、その管には吐出部７１〜７７が設けられている。また、上記発泡器３は、図５に示すように、界面活性剤供給管３１と、気体供給管３２と、製泡機本体３７内に、その内側断面形状と略同一の形状であって、適宜間隔をもって取り付けられた複数の網状体３３ａ〜ｆを備える。尚、上記気体供給管３２は、コンプレッサー、送風機等の空気供給源（図示せず）に接続されている。
【００２８】
また、本実施例の不快害虫駆除装置では、自動制御装置９によって、上記不快害虫駆除物質噴霧装置Ａ及び上記床面発泡被覆装置Ｂの圧送ポンプ４の運転並びにバルブ４１〜４４の開閉を自動的に制御している。
【００２９】
（２）不快害虫駆除方法
被駆除室８として、図１に示すような床面積が８０ｍ2である厨房Ａ及びＢを用意した。そして、本実施例の不快害虫駆除装置の貯留槽１には、濃度１．０重量％の界面活性剤（デカグリセリンモノオレエート）水溶液を収容した。終業後、自動制御装置９によって、不快害虫駆除物質噴霧装置Ａからオゾンガスを被駆除室９内に散布した。次いで、１０分後に上記床面発泡被覆装置Ｂの圧送ポンプ５を作動させ、上記貯留槽１から界面活性剤供給管３１を経て発泡器３へ界面活性剤水溶液を供給し、同時に気体供給管３２を経て送風機によって発泡器３へ空気を供給することにより、上記界面活性剤水溶液を発泡させた。
【００３０】
そして、発泡させた上記界面活性剤水溶液は、分配管７の吐出部７１〜７７から吐き出させ、厨房Ａ及びＢの床面一面に泡（気液比２０対１）を連続的に供給し滞留させ、２時間放置した。その後、バルブ４１及び４３を閉鎖し、バルブ４２及び４４を開放して、水収容容器２から供給される洗浄水を分配管７の吐出部７１〜７７から吐き出させ、床清掃を終えた。翌朝、排水溝内のゴキブリの死骸数を数え、これを１週間継続した。その結果を以下の表１に示す。
【００３１】
【表１】
0004726320.tif 000002
【００３２】
表１より、実施例１では、１日後に５匹、２日後に２匹死んでおり、実施例２では、１日後に１０匹、２日後に３匹死んでいた。そして、実施例１及び２では、１日後及び２日後における床面洗浄で存在するゴキブリを駆除することができ、３日後より全く死骸が見られなくなった。このことから、オゾンガスの散布に加えて、発泡器による安定した泡の製造と供給によって床面をまんべんなくゴキブリ駆除作用のある界面活性剤で満たすことにより、フラッシュアウトを引き起こして床面に誘導されたゴキブリ等の不快害虫を更に確実に駆除することができることが判る。
【００３３】
なお、本発明においては、前記具休的実施例に示すものに限られず、目的、用途に応じて本発明の範囲内で種々変更した実施例とすることができる。例えば、図１に示すように、コンプレッサー２０を設けることができる。かかるコンプレッサー２０を設けることにより、洗浄水による洗い流しの後、空気用バルブ４５を適宜開き、吐出口７１〜７７から空気を噴射して水分を吹き飛ばすことで、乾燥の促進を図ることもできる。なお、空気圧は、吐出口の径や数によって適宜に設定することができる。この場合、コンプレッサー２０の作動若しくは停止及び／又は上記空気用バルブ４５の開閉を自動的にコントロールする制御装置を備えるものとすると、乾燥工程の自動化を図ることができるので好ましい。
【００３４】
【発明の効果】
本発明の不快害虫駆除装置及び不快害虫駆除方法によれば、フラッシュアウトを引き起こして床面に誘導された不快害虫を界面活性剤を発泡させて得た泡と接触することにより、より確実に死滅又は不動状態にさせることができる。その結果、ピレスロイド系薬剤やオゾン等の不快害虫駆除物質の使用量を増加せずとも、従来よりもさらに効率的且つより確実にゴキブリ等のような不快害虫を駆除することができる。
【図面の簡単な説明】
【図１】本実施例の不快害虫駆除装置の概要を示す説明図である。
【図２】本発明の不快害虫駆除装置の床面発泡被覆装置の他の例の概要を示す説明図である。
【図３】本発明の不快害虫駆除装置の床面発泡被覆装置の他の例の概要を示す説明図である。
【図４】本発明の不快害虫駆除装置の床面発泡被覆装置の他の例の概要を示す説明図である。
【図５】本実施例の発泡器の説明概略断面図である。
【符号の説明】
Ａ；不快害虫駆除物質噴霧装置、Ｂ，Ｂ１〜Ｂ３；床面発泡被覆装置、１；貯留槽、２；水収容容器、３；発泡器、３１；界面活性剤供給管、３２；気体供給管、３３ａ〜ｆ；網状体、３４；気体吹き付け部、３５；発泡器本体の一端部、３６；発泡器本体の他端部、３７；発泡器本体、３８；絞り部、４１〜４４；バルブ、４５；空気用バルブ、５；圧送ポンプ、６；配管、７；分配管、７１〜７７；吐出口、８；被駆除室、９；自動制御装置、１０；排水溝、１１；第１送出管、１１１；ジョイント部、１２；第１気体供給管、１３；第１気体供給手段、１４；第２気体供給管、１５；第２気体供給手段、１６；第２送出管、１７；送液ポンプ（送出手段）、１８；第３気体供給管、１９；第３気体供給手段、２０；コンプレッサー。
【図１】
0004726320.tif 000003
【図２】
0004726320.tif 000004
【図３】
0004726320.tif 000005
【図４】
0004726320.tif 000006
【図５】
0004726320.tif 000007